(57)【要約】【課題】無線通信機において、ＤＣオフセットを２段構成のフィードバック制御により高速に収束させつつ全体のＤＣオフセットを抑える。【解決手段】無線通信機１において、高周波カット用ＬＰＦ４の低域側のカットオフ周波数を周波数ｆｃ＿ｈｉｇｈからその周波数ｆｃ＿ｈｉｇｈよりも低い周波数ｆｃ＿ｌｏｗに切り替えた後、ＶＧＡ５の低域側のカットオフ周波数を周波数ｆｃ＿ｈｉｇｈから周波数ｆｃ＿ｌｏｗに切り替える。【選択図】図１
2007184666.tif 000002
【特許請求の範囲】
【請求項１】
受信信号から高周波成分をカットするＬＰＦと、該ＬＰＦの出力信号のＤＣオフセットを抽出する第１の抽出用ＬＰＦと、前記ＬＰＦの出力信号を増幅する増幅器と、該増幅器の出力信号のＤＣオフセットを抽出する第２の抽出用ＬＰＦとを備え、前記第１の抽出用ＬＰＦにより抽出されたＤＣオフセットが前記ＬＰＦの入力信号と重畳して前記ＬＰＦの出力信号のＤＣオフセットが収束するように前記第１の抽出用ＬＰＦと前記ＬＰＦとが接続され、前記第２の抽出用ＬＰＦにより抽出されたＤＣオフセットが前記増幅器の入力信号と重畳して前記増幅器の出力信号のＤＣオフセットが収束するように前記第２の抽出用ＬＰＦと前記増幅器とが接続される無線通信機において、前記第１及び第２の抽出用ＬＰＦのそれぞれのカットオフ周波数制御方法であって、
前記第１の抽出用ＬＰＦのカットオフ周波数を第１の周波数から該第１の周波数よりも低い第２の周波数に切り替えた後、
前記第２の抽出用ＬＰＦのカットオフ周波数を前記第１の周波数から前記第２の周波数に切り替える、
ことを特徴とするカットオフ周波数制御方法。
【請求項２】
請求項１に記載のカットオフ周波数制御方法であって、
前記増幅器の利得を制御した後、前記第２の抽出用ＬＰＦのカットオフ周波数を前記第１の周波数から前記第２の周波数に切り替える、
ことを特徴とするカットオフ周波数制御方法。
【請求項３】
請求項１または請求項２に記載のカットオフ周波数制御方法であって、
目的の受信信号を受信する前に、前記第１の抽出用ＬＰＦのカットオフ周波数を前記第１の周波数から前記第２の周波数に切り替える、
ことを特徴とするカットオフ周波数制御方法。
【請求項４】
請求項３に記載のカットオフ周波数制御方法であって、
前記目的の受信信号を受信する前に、前記第２の抽出用ＬＰＦのカットオフ周波数を前記第１の周波数から前記第２の周波数に切り替える、
ことを特徴とするカットオフ周波数制御方法。
【請求項５】
請求項１〜４の何れか１項に記載のカットオフ周波数制御方法であって、
前記目的の受信信号の受信終了後、前記第１及び第２の抽出用ＬＰＦのそれぞれのカットオフ周波数を前記第２の周波数から前記第１の周波数に切り替える、
ことを特徴とするカットオフ周波数制御方法。
【請求項６】
受信信号から高周波成分をカットするＬＰＦと、
前記ＬＰＦの出力信号のＤＣオフセットを抽出する第１の抽出用ＬＰＦと、
前記ＬＰＦの出力信号を増幅する増幅器と、
前記増幅器の出力信号のＤＣオフセットを抽出する第２の抽出用ＬＰＦと、
前記第１及び第２の抽出用ＬＰＦのそれぞれのカットオフ周波数を制御する制御回路と、
を備え、
前記第１の抽出用ＬＰＦは、抽出したＤＣオフセットが前記ＬＰＦの入力信号と重畳して前記ＬＰＦの出力信号のＤＣオフセットが収束するように前記ＬＰＦと接続され、
前記第２の抽出用ＬＰＦは、抽出したＤＣオフセットが前記増幅器の入力信号と重畳して前記増幅器の出力信号のＤＣオフセットが収束するように前記増幅器と接続され、
前記制御回路は、前記第１の抽出用ＬＰＦのカットオフ周波数を第１の周波数から該第１の周波数よりも低い第２の周波数に切り替えた後、前記第２の抽出用ＬＰＦのカットオフ周波数を前記第１の周波数から前記第２の周波数に切り替える、
ことを特徴とする無線通信機。
【発明の詳細な説明】
【技術分野】
【０００１】
本発明は、受信信号から高周波成分をカットする高周波カット用ＬＰＦ及びその高周波カット用ＬＰＦの出力信号を増幅する増幅器を備える無線通信機に関し、特に、高周波カット用ＬＰＦ及び増幅器のそれぞれの出力信号のＤＣオフセットを抽出するためのＤＣオフセット抽出用ＬＰＦのカットオフ周波数制御方法に関する。
【背景技術】
【０００２】
既存の無線通信機として、受信信号から高周波成分をカットする高周波カット用ＬＰＦ（Ｌｏｗ  Ｐａｓｓ  Ｆｉｌｔｅｒ）と、その高周波カット用ＬＰＦから出力される信号のレベルを所定レベル（例えば、復調に適したレベル）に調整する可変利得増幅器と、その可変利得増幅器から出力される信号のＤＣオフセットをフィードバック制御により収束させるオフセット補償回路とを備えるものがある。オフセット補償回路は、可変利得増幅器からバッファ増幅器を介して出力される信号からＤＣオフセットを抽出する抽出用ＬＰＦと、バッファ増幅器の出力信号のＤＣオフセットが収束するようにその抽出したＤＣオフセットに基づく信号をバッファ増幅器の入力にフィードバックするオフセット補償部とを備えている（例えば、特許文献１参照）。
【０００３】
このような無線通信機では、目的の受信信号の受信に備え可変利得増幅器の利得が予め大きく設定されている。そのため、可変利得増幅器に入力される信号のＤＣオフセットが可変利得増幅器により増幅され大きくなってしまうので、目的の受信信号を受信するまでに受信回路などで発生するＤＣオフセットをできるだけ収束させておきたいという要望がある。
【０００４】
そこで、この要望を実現するために、例えば、上記無線通信機において、目的の受信信号を受信していないとき、抽出用ＬＰＦのカットオフ周波数を高い周波数に設定して、時定数を小さくすることでオフセット補償回路によるＤＣオフセットの収束処理を高速に行わせることが考えられる。なお、このように無線通信機を構成した場合、目的の受信信号を受信したときに、抽出用ＬＰＦのカットオフ周波数を元の低い周波数に戻し目的の受信信号を極力削らないようにする必要がある。
【０００５】
そして、このように構成した無線通信機において、目的の受信信号を受信するまでに、ＤＣオフセットをさらに収束させる場合には、例えば、高周波カット用ＬＰＦの出力信号のＤＣオフセットも上述と同じようなオフセット補償回路により収束させる構成とし、目的の受信信号を受信していないとき、高周波カット用ＬＰＦ側のオフセット補償回路の抽出用ＬＰＦのカットオフ周波数も高い周波数にしておき、高周波カット用ＬＰＦにおいてＤＣオフセットをできるだけ収束させることが考えられる。そして、目的の受信信号を受信したときに、各抽出用ＬＰＦのそれぞれのカットオフ周波数を高い周波数から低い周波数に切り替える。
【特許文献１】特開２００３−１９８４０４号
【発明の開示】
【発明が解決しようとする課題】
【０００６】
しかしながら、上述のように、各抽出用ＬＰＦのそれぞれのカットオフ周波数を高い周波数から低い周波数に同じタイミングで切り替える場合、増幅器側の抽出用ＬＰＦのカットオフ周波数の切替時に発生するＤＣオフセット変動分に高周波カット用ＬＰＦ側の抽出用ＬＰＦのカットオフ周波数の切替時に発生するＤＣオフセット変動分が重畳し、全体のＤＣオフセットが大きくなるという問題がある。
【０００７】
そこで、本発明では、ＤＣオフセットを２段構成のフィードバック制御により高速に収束させつつ全体のＤＣオフセットを抑えることが可能なカットオフ周波数制御方法及び無線通信機を提供することを目的とする。
【課題を解決するための手段】
【０００８】
上記の課題を解決するために本発明では、以下のような方法及び構成を採用した。
すなわち、本発明のカットオフ周波数制御方法は、受信信号から高周波成分をカットするＬＰＦと、該ＬＰＦの出力信号のＤＣオフセットを抽出する第１の抽出用ＬＰＦと、前記ＬＰＦの出力信号を増幅する増幅器と、該増幅器の出力信号のＤＣオフセットを抽出する第２の抽出用ＬＰＦとを備え、前記第１の抽出用ＬＰＦにより抽出されたＤＣオフセットが前記ＬＰＦの入力信号と重畳して前記ＬＰＦの出力信号のＤＣオフセットが収束するように前記第１の抽出用ＬＰＦと前記ＬＰＦとが接続され、前記第２の抽出用ＬＰＦにより抽出されたＤＣオフセットが前記増幅器の入力信号と重畳して前記増幅器の出力信号のＤＣオフセットが収束するように前記第２の抽出用ＬＰＦと前記増幅器とが接続される無線通信機において、前記第１及び第２の抽出用ＬＰＦのそれぞれのカットオフ周波数制御方法であって、前記第１の抽出用ＬＰＦのカットオフ周波数を第１の周波数から該第１の周波数よりも低い第２の周波数に切り替えた後、前記第２の抽出用ＬＰＦのカットオフ周波数を前記第１の周波数から前記第２の周波数に切り替える。
【０００９】
このように、第１及び第２の抽出用ＬＰＦによる２段構成のフィードバック制御によりＤＣオフセットを収束させているので、全体のＤＣオフセットを高速に収束させることができる。
【００１０】
また、第１及び第２の抽出用ＬＰＦのそれぞれのカットオフ周波数の切替タイミングを互いにずらしているため、第２の抽出用ＬＰＦのカットオフ周波数の切替時に発生するＤＣオフセット変動分に第１の抽出用ＬＰＦのカットオフ周波数の切替時に発生するＤＣオフセット変動分がほとんど重畳しない。従って、全体のＤＣオフセットを抑えることができる。
【００１１】
また、上記カットオフ周波数制御方法は、前記増幅器の利得を制御した後、前記第２の抽出用ＬＰＦのカットオフ周波数を前記第１の周波数から前記第２の周波数に切り替えるようにしてもよい。
【００１２】
これにより、増幅器の利得の制御時に発生するＤＣオフセット変動分を高速に収束させることができる。
また、上記カットオフ周波数制御方法は、目的の受信信号を受信する前に、前記第１の抽出用ＬＰＦのカットオフ周波数を前記第１の周波数から前記第２の周波数に切り替えるようにしてもよい。
【００１３】
これにより、目的の受信信号を受信した後に、第１の抽出用ＬＰＦのカットオフ周波数を第１の周波数から第２の周波数に切り替える場合に比べて、第１の抽出用ＬＰＦのカットオフ周波数を切り替えてから第２の抽出用ＬＰＦのカットオフ周波数を切り替えるまでのＤＣオフセットの収束時間を長くとることができるため、第１の抽出用ＬＰＦのカットオフ周波数の切替時に発生するＤＣオフセット変動分を充分に収束させることができる。
【００１４】
また、上記カットオフ周波数制御方法は、前記目的の受信信号を受信する前に、前記第２の抽出用ＬＰＦのカットオフ周波数を前記第１の周波数から前記第２の周波数に切り替えるようにしてもよい。
【００１５】
これにより、より目的の受信信号を削らないようにすることができる。
また、上記カットオフ周波数制御方法は、前記目的の受信信号の受信終了後、前記第１及び第２の抽出用ＬＰＦのそれぞれのカットオフ周波数を前記第２の周波数から前記第１の周波数に切り替えるようにしてもよい。
【００１６】
また、本発明の無線通信機は、受信信号から高周波成分をカットするＬＰＦと、前記ＬＰＦの出力信号のＤＣオフセットを抽出する第１の抽出用ＬＰＦと、前記ＬＰＦの出力信号を増幅する増幅器と、前記増幅器の出力信号のＤＣオフセットを抽出する第２の抽出用ＬＰＦと、前記第１及び第２の抽出用ＬＰＦのそれぞれのカットオフ周波数を制御する制御回路とを備え、前記第１の抽出用ＬＰＦは、抽出したＤＣオフセットが前記ＬＰＦの入力信号と重畳して前記ＬＰＦの出力信号のＤＣオフセットが収束するように前記ＬＰＦと接続され、前記第２の抽出用ＬＰＦは、抽出したＤＣオフセットが前記増幅器の入力信号と重畳して前記増幅器の出力信号のＤＣオフセットが収束するように前記増幅器と接続され、前記制御回路は、前記第１の抽出用ＬＰＦのカットオフ周波数を第１の周波数から該第１の周波数よりも低い第２の周波数に切り替えた後、前記第２の抽出用ＬＰＦのカットオフ周波数を前記第１の周波数から前記第２の周波数に切り替える。
【発明の効果】
【００１７】
本発明によれば、無線通信機において、ＤＣオフセットを２段構成のフィードバック制御により高速に収束させつつ全体のＤＣオフセットを抑えることができる。
【発明を実施するための最良の形態】
【００１８】
以下、本発明の実施形態を図面を用いて説明する。
図１（ａ）は、本発明の実施形態の無線通信機を示す図である。
図１（ａ）に示す無線通信機１は、例えば、ＩＥＥＥ８０２．１１に準拠する無線ＬＡＮシステムで使用される無線通信機であって、受信したパケット（目的の受信信号）をベースバンド信号に変換するアナログ部（受信回路）２と、ベースバンド信号をデジタル値に変換して復調するデジタル部３（制御回路）とを備えて構成されている。
【００１９】
上記アナログ部２は、受信信号から高周波成分をカットする高周波カット用ＬＰＦ４と、高周波カット用ＬＰＦ４から出力される信号のレベルを所定レベル（例えば、復調に適したレベル）に調整するＶＧＡ（Ｖａｒｉａｂｌｅ  Ｇａｉｎ  Ａｍｐｌｉｆｅｒ）５とを備えて構成されている。
【００２０】
高周波カット用ＬＰＦ４は、受信信号から高周波成分をカットするＬＰＦ６と、ＬＰＦ６から出力される信号からＤＣオフセット（直流成分）を抽出する抽出用ＬＰＦ７（第１の抽出用ＬＰＦ）とを備えて構成されている。
【００２１】
抽出用ＬＰＦ７は、抽出したＤＣオフセットがＬＰＦ６の入力信号と重畳してＬＰＦ６の出力信号のＤＣオフセットが収束するようにＬＰＦ６と接続されている。すなわち、抽出用ＬＰＦ７によりＬＰＦ６の出力信号から抽出されたＤＣオフセットがＬＰＦ６の入力信号から差し引かれている。例えば、抽出用ＬＰＦ７のカットオフ周波数を高くすると、時定数が小さくなるため、ＬＰＦ６（高周波カット用ＬＰＦ４）の出力信号のＤＣオフセットが高速に収束する。
【００２２】
上記ＶＧＡ５は、デジタル部３から出力される利得制御信号ｇに基づいて利得を可変し高周波カット用ＬＰＦ４から出力される信号のレベルを所定レベルに調整する可変利得増幅器８（増幅器）と、可変利得増幅器８から出力される信号からＤＣオフセットを抽出する抽出用ＬＰＦ９（第２の抽出用ＬＰＦ）とを備えて構成されている。
【００２３】
抽出用ＬＰＦ９は、抽出したＤＣオフセットが可変利得増幅器８の入力信号と重畳して可変利得増幅器８の出力信号のＤＣオフセットが収束するように可変利得増幅器８と接続されている。すなわち、抽出用ＬＰＦ９により可変利得増幅器８の出力信号から抽出されたＤＣオフセットが可変利得増幅器８の入力信号から差し引かれている。例えば、抽出用ＬＰＦ９のカットオフ周波数を高くすると、時定数が小さくなるため、可変利得増幅器８（ＶＧＡ５）の出力信号のＤＣオフセットが高速に収束する。なお、可変利得増幅器８と抽出用ＬＰＦ９との間に、抽出されたＤＣオフセットを増幅する増幅部が設けられていてもよい。
【００２４】
上記デジタル部３は、可変利得増幅器８の出力信号に基づいて、可変利得増幅器８から出力される信号のレベルがデジタル部３における復調処理に適したレベルになるように可変利得増幅器８の利得を制御する利得制御信号ｇを生成したり、可変利得増幅器８の利得を制御するタイミング（利得制御信号ｇを可変利得増幅器８に出力するタイミング）や抽出用ＬＰＦ７、９のカットオフ周波数を切り替えるタイミングを決定するＡＧＣ（Ａｕｔｏｍａｔｉｃ  Ｇａｉｎ  Ｃｏｎｔｒｏｌ）１０と、ＡＧＣ１０で決定されるタイミングに基づいて、抽出用ＬＰＦ７のカットオフ周波数を切り替えるための切替信号ｆｃ＿ｓｗ１のハイレベル／ローレベルを切り替えると共に、抽出用ＬＰＦ９のカットオフ周波数を切り替えるための切替信号ｆｃ＿ｓｗ０のハイレベル／ローレベルを切り替えるカットオフ周波数切替制御部１１とを備えて構成されている。
【００２５】
上記ＡＧＣ１０は、可変利得増幅器８の出力信号のレベルを検出するレベル検出部１２と、レベル検出部１２で検出されるレベルがパケット受信時のレベルになると、可変利得増幅器８の利得を制御するタイミングを決定するタイミング決定部１３と、レベル検出部１２で検出されるレベル（可変利得増幅器８から出力される信号のレベル）がデジタル部３における復調処理に適したレベルになるように可変利得増幅器８の利得を制御する利得制御信号ｇを生成し、タイミング決定部１３で決定されるタイミングに基づいて、利得制御信号ｇを出力するゲイン制御部１４とを備えて構成されている。
【００２６】
図１（ｂ）は、抽出用ＬＰＦ７の一例を示す図である。
図１（ｂ）に示す抽出用ＬＰＦ７は、直列的に接続された４つの増幅器により構成される多段増幅器１５と、一方端が多段増幅器１５の初段増幅器の入力端子に接続され他方端が多段増幅器１５の最終段増幅器の出力端子に接続される抵抗１６と、抵抗１６と並列接続され、入力される切替信号ｆｃ＿ｓｗ１のハイレベル／ローレベルにより容量が可変する可変容量コンデンサ１７とから構成されている。
【００２７】
例えば、可変容量コンデンサ１７の容量が大きくなる場合、図２の高周波カット用ＬＰＦ４の利得−周波数特性のグラフに示すように、高周波カット用ＬＰＦ４の低域側のカットオフ周波数（抽出用ＬＰＦ７のカットオフ周波数）は、周波数ｆｃ＿ｈｉｇｈ（第１の周波数）からその周波数ｆｃ＿ｈｉｇｈよりも低い周波数ｆｃ＿ｌｏｗ（第２の周波数）に切り替わる。なお、ＶＧＡ５の利得−周波数特性のグラフは、図２に示すグラフと同様であり、本実施形態では、高周波カット用ＬＰＦ４の低域側のカットオフ周波数ｆｃ＿ｈｉｇｈ及びｆｃ＿ｌｏｗとＶＧＡ５の低域側のカットオフ周波数（抽出用ＬＰＦ９のカットオフ周波数）ｆｃ＿ｈｉｇｈ及びｆｃ＿ｌｏｗとを同じ値とする。
【００２８】
図１（ｃ）は、抽出用ＬＰＦ９の一例を示す図である。
図１（ｃ）に示す抽出用ＬＰＦ９は、増幅器１８と、一方端が増幅器１８の入力端子に接続され他方端が増幅器１８の出力端子に接続される抵抗１９と、抵抗１９と並列接続され、入力される切替信号ｆｃ＿ｓｗ０のハイレベル／ローレベルにより容量が可変する可変容量コンデンサ２０とから構成されている。
【００２９】
例えば、可変容量コンデンサ２０の容量が大きくなる場合、図２に示すように、ＶＧＡ５の低域側のカットオフ周波数（抽出用ＬＰＦ９のカットオフ周波数）は、周波数ｆｃ＿ｈｉｇｈから周波数ｆｃ＿ｌｏｗに切り替わる。
【００３０】
なお、上記周波数ｆｃ＿ｈｉｇｈは、例えば、ＤＣオフセットを高速に収束させるときの周波数とする。また、上記周波数ｆｃ＿ｌｏｗは、例えば、受信したパケットの信号成分を極力削らないようにするときの周波数とする。
【００３１】
本実施形態の無線通信機１の特徴とする点の１つは、高周波カット用ＬＰＦ４の低域側のカットオフ周波数を周波数ｆｃ＿ｈｉｇｈから周波数ｆｃ＿ｌｏｗに切り替えた後、ＶＧＡ５の低域側のカットオフ周波数を周波数ｆｃ＿ｈｉｇｈから周波数ｆｃ＿ｌｏｗに切り替える点である。
【００３２】
なお、高周波カット用ＬＰＦ４の低域側のカットオフ周波数を周波数ｆｃ＿ｈｉｇｈから周波数ｆｃ＿ｌｏｗに切り替えた後、その高周波カット用ＬＰＦ４の低域側のカットオフ周波数の切替時に発生するＤＣオフセットの変動分が充分に収束した後に、ＶＧＡ５の低域側のカットオフ周波数を周波数ｆｃ＿ｈｉｇｈから周波数ｆｃ＿ｌｏｗに切り替えることが望ましい。
【００３３】
図３（ａ）は、高周波カット用ＬＰＦ４及びＶＧＡ５のそれぞれの低域側のカットオフ周波数を同時に切り替える場合における、切替信号ｆｃ＿ｓｗ１及び切替信号ｆｃ＿ｓｗ０のそれぞれのハイレベル／ローレベルの切替タイミングと高周波カット用ＬＰＦ４の出力信号のＤＣオフセット（破線）との関係、並びに、切替信号ｆｃ＿ｓｗ１及び切替信号ｆｃ＿ｓｗ０のそれぞれのハイレベル／ローレベルの切替タイミングとＶＧＡ５の出力信号のＤＣオフセット（実線）との関係を示す図である。
【００３４】
また、図３（ｂ）は、高周波カット用ＬＰＦ４の低域側のカットオフ周波数を切り替えた後、ＶＧＡ５の低域側のカットオフ周波数を切り替える場合における、切替信号ｆｃ＿ｓｗ１及び切替信号ｆｃ＿ｓｗ０のそれぞれのハイレベル／ローレベルの切替タイミングと高周波カット用ＬＰＦ４の出力信号のＤＣオフセット（破線）との関係、並びに、切替信号ｆｃ＿ｓｗ１及び切替信号ｆｃ＿ｓｗ０のそれぞれのハイレベル／ローレベルの切替タイミングとＶＧＡ５の出力信号のＤＣオフセット（実線）との関係を示す図である。
【００３５】
図３（ａ）に示すように、高周波カット用ＬＰＦ４及びＶＧＡ５のそれぞれの低域側のカットオフ周波数を同時に切り替える場合では、ＶＧＡ５の低域側のカットオフ周波数の切替時に発生するＤＣオフセット変動分に高周波カット用ＬＰＦ４の低域側のカットオフ周波数の切替時に発生するＤＣオフセット変動分が重畳してしまうため全体のＤＣオフセット（実線）はとても大きくなる。
【００３６】
一方、図３（ｂ）に示すように、本実施形態の無線通信機１では、高周波カット用ＬＰＦ４のＤＣオフセット変動分が充分に収束してから、ＶＧＡ５の低域側のカットオフ周波数を切り替えているため、全体のＤＣオフセット（実線）は図３（ａ）に比べて小さくなる。すなわち、本実施形態の無線通信機１では、高周波カット用ＬＰＦ４及びＶＧＡ５のそれぞれの低域側のカットオフ周波数の切替時に発生するＤＣオフセット変動分がほとんど重畳しない。これにより、本実施形態の無線通信機１は、高周波カット用ＬＰＦ４及びＶＧＡ５のそれぞれの低域側のカットオフ周波数を同じタイミングで切り替える場合に比べて、パケットを受信する際の全体のＤＣオフセットを短期間で充分に収束させることができる。
【００３７】
図４は、パケットの受信タイミング、可変利得増幅器８の利得制御タイミング、切替信号ｆｃ＿ｓｗ１のハイレベル／ローレベルの切替タイミング、及び切替信号ｆｃ＿ｓｗ０のハイレベル／ローレベルの切替タイミングを示すタイミングチャートである。なお、切替信号ｆｃ＿ｓｗ１がローレベルからハイレベルになったとき、図１（ｂ）に示す可変容量コンデンサ１７の容量が大きくなり、高周波カット用ＬＰＦ４の低域側のカットオフ周波数が図２に示す周波数ｆｃ＿ｈｉｇｈから周波数ｆｃ＿ｌｏｗに切り替わるものとする。また、切替信号ｆｃ＿ｓｗ０がローレベルからハイレベルになったとき、図１（ｃ）に示す可変容量コンデンサ２０の容量が大きくなり、ＶＧＡ５の低域側のカットオフ周波数が図２に示す周波数ｆｃ＿ｈｉｇｈから周波数ｆｃ＿ｌｏｗに切り替わるものとする。
【００３８】
まず、タイミング決定部１３は、レベル検出部１２で検出されるレベルがパケット受信時のレベルになったと判断すると（Ａ）、タイマを使ってＬＮＡ（Ｌｏｗ  Ｎｏｉｓｅ  Ａｍｐｌｉｆｉｅｒ）（不図示）の利得を制御するためのタイミング（１）及び可変利得増幅器８の利得を制御するためのタイミング（２）〜（４）を決定する。なお、上記ＬＮＡの利得を制御する際のＤＣオフセット変動は、高周波カット用ＬＰＦ４及びＶＧＡ５のそれぞれの低域側のカットオフ周波数の切替時に発生するＤＣオフセット変動とは無関係とする。
【００３９】
次に、カットオフ周波数切替制御部１１は、タイミング決定部１３が決定する最初のタイミング（１）において、切替信号ｆｃ＿ｓｗ１のレベルをローレベルからハイレベルに切り替える（Ｂ）。すると、可変容量コンデンサ１７の容量が大きくなり、高周波カット用ＬＰＦ４の低域側のカットオフ周波数が周波数ｆｃ＿ｈｉｇｈから周波数ｆｃ＿ｌｏｗに切り替わる。なお、切替信号ｆｃ＿ｓｗ１のレベルをローレベルからハイレベルに切り替えるタイミング（Ｂ）は、レベル検出部１２で検出されるレベルがパケット受信時のレベルになったとき、または、受信パケットの同期が検出されたときから所定時間後に設定してもよい。すなわち、タイミング（１）と同時でなくてもよい。
【００４０】
また、ゲイン制御部１４は、タイミング（１）〜（４）それぞれにおいて、レベル検出部１２で検出されたパケットのレベルに基づいて、ＶＧＡ５から出力される信号のレベルがデジタル部３における復調処理に適したレベルになるように可変利得増幅器８を制御する利得制御信号ｇを生成し可変利得増幅器８に出力する。例えば、パケット受信前、可変利得増幅器８の利得を予め大きくしておき、パケット受信後、可変利得増幅器８の利得を徐々に小さくしていくように設定してもよい。
【００４１】
次に、カットオフ周波数切替制御部１１は、タイマを使ってタイミング（４）から所定時間ｔ１後に、切替信号ｆｃ＿ｓｗ０をローレベルからハイレベルに切り替える（Ｃ）。すると、可変容量コンデンサ２０の容量が大きくなり、ＶＧＡ５の低域側のカットオフ周波数が周波数ｆｃ＿ｈｉｇｈから周波数ｆｃ＿ｌｏｗに切り替わる。
【００４２】
そして、カットオフ周波数切替制御部１１は、タイミング決定部１３によりレベル検出部１２の検出レベルがパケット受信終了時のレベルであると判断されると、切替信号ｆｃ＿ｓｗ１をハイレベルからローレベルに切り替えると共に、切替信号ｆｃ＿ｓｗ０をハイレベルからローレベルに切り替える（Ｄ）。すると、高周波カット用ＬＰＦ４の低域側のカットオフ周波数が周波数ｆｃ＿ｌｏｗから周波数ｆｃ＿ｈｉｇｈに切り替わり、ＶＧＡ５の低域側のカットオフ周波数が周波数ｆｃ＿ｌｏｗから周波数ｆｃ＿ｈｉｇｈに切り替わり、次のパケットの受信に備えることができる。
【００４３】
このように、可変利得増幅器８の利得制御完了後に、ＶＧＡ５の低域側のカットオフ周波数を切り替えているので、ＶＧＡ５の低域側のカットオフ周波数の切替時に発生するＤＣオフセットの変動分に可変利得増幅器８の利得の制御時に発生するＤＣオフセット変動分が重畳しないため、全体のＤＣオフセットを抑えることができる。また、可変利得増幅器８の利得を制御しているとき、ＶＧＡ５の低域側のカットオフ周波数を周波数ｆｃ＿ｈｉｇｈに設定することにより、可変利得増幅器８の利得制御時に発生するＤＣオフセット変動分を高速に収束させることができる。
【００４４】
図５（ａ）は、他の実施形態の無線通信機１におけるパケットの受信タイミング、可変利得増幅器８の利得制御タイミング、切替信号ｆｃ＿ｓｗ１のハイレベル／ローレベルの切替タイミング、及び切替信号ｆｃ＿ｓｗ０のハイレベル／ローレベルの切替タイミングの関係を示すタイミングチャートである。なお、無線通信機１は、少なくとも、パケットの送信待機状態を示す送信モード、または、パケットの受信待機状態を示す受信モードで動作できるものとする。また、受信モードに入ってから所定時間ｔ２後の高周波カット用ＬＰＦ４でのＤＣオフセット変動分は充分に収束しているものとする。また、ＶＧＡ５の低域側のカットオフ周波数の切替制御やパケット受信終了後の高周波カット用ＬＰＦ４及びＶＧＡ５のそれぞれの低域側のカットオフ周波数の切替制御は、図４で説明した切替制御と同じであるため説明を省略する。
【００４５】
図５（ａ）では、受信モードに入ってから所定時間ｔ２後のパケット受信前に、切替信号ｆｃ＿ｓｗ１をローレベルからハイレベルに切り替えて、高周波カット用ＬＰＦ４の低域側のカットオフ周波数を周波数ｆｃ＿ｈｉｇｈから周波数ｆｃ＿ｌｏｗに切り替えている。
【００４６】
これにより、パケット受信後に、高周波カット用ＬＰＦ４の低域側のカットオフ周波数を周波数ｆｃ＿ｈｉｇｈから周波数ｆｃ＿ｌｏｗに切り替える場合に比べて、高周波カット用ＬＰＦ４の低域側のカットオフ周波数を切り替えてからＶＧＡ５の低域側のカットオフ周波数を切り替えるまでのＤＣオフセットの収束時間を長くとることができるため、高周波カット用ＬＰＦ４の低域側のカットオフ周波数の切替時に発生するＤＣオフセット変動分を充分に収束させることができる。
【００４７】
図５（ｂ）は、さらに他の実施形態の無線通信機１におけるパケットの受信タイミング、可変利得増幅器８の利得制御タイミング、切替信号ｆｃ＿ｓｗ１のハイレベル／ローレベルの切替タイミング、及び切替信号ｆｃ＿ｓｗ０のハイレベル／ローレベルの切替タイミングの関係を示すタイミングチャートである。また、パケット受信前の高周波カット用ＬＰＦ４の低域側のカットオフ周波数の切替制御は、図５（ａ）で説明した切替制御と同じであるため説明を省略する。また、パケット受信終了後の高周波カット用ＬＰＦ４及びＶＧＡ５のそれぞれの低域側のカットオフ周波数の切替制御は、図４で説明した切替制御と同じであるため説明を省略する。
【００４８】
図５（ｂ）では、受信モードに入ってから所定時間ｔ３（ｔ３＞ｔ２）後のパケット受信前に、切替信号ｆｃ＿ｓｗ０をローレベルからハイレベルに切り替えて、ＶＧＡ５の低域側のカットオフ周波数を周波数ｆｃ＿ｈｉｇｈから周波数ｆｃ＿ｌｏｗに切り替えている。
【００４９】
このように、パケット受信前において、高周波カット用ＬＰＦ４の低域側のカットオフ周波数を周波数ｆｃ＿ｈｉｇｈから周波数ｆｃ＿ｌｏｗに切り替えた後、ＶＧＡ５の低域側のカットオフ周波数を周波数ｆｃ＿ｈｉｇｈから周波数ｆｃ＿ｌｏｗに切り替えることにより、よりパケットの信号成分を削らないようにすることができる。従って、例えば、受信パケットの同期処理の確実性を向上させることができる。
【００５０】
また、図５（ｂ）では、可変利得増幅器８の利得制御期間中、切替信号ｆｃ＿ｓｗ０をハイレベルからローレベルに切り替えて、ＶＧＡ５の低域側のカットオフ周波数を周波数ｆｃ＿ｌｏｗから周波数ｆｃ＿ｈｉｇｈに切り替えている。
【００５１】
これにより、可変利得増幅器８の利得の制御時に発生するＤＣオフセット変動分を高速に抑制することができる。
また、上記実施形態では、高周波カット用ＬＰＦ４における周波数ｆｃ＿ｈｉｇｈとＶＧＡ５における周波数ｆｃ＿ｈｉｇｈとを同じ値とし、高周波カット用ＬＰＦ４における周波数ｆｃ＿ｌｏｗとＶＧＡ５における周波数ｆｃ＿ｌｏｗとを同じ値とする構成であるが、高周波カット用ＬＰＦ４における周波数ｆｃ＿ｈｉｇｈとＶＧＡ５における周波数ｆｃ＿ｈｉｇｈとを異なる値にしてもよいし、高周波カット用ＬＰＦ４における周波数ｆｃ＿ｌｏｗとＶＧＡ５における周波数ｆｃ＿ｌｏｗとを異なる値にしてもよい。
【図面の簡単な説明】
【００５２】
【図１】（ａ）は、本発明の実施形態の無線通信機を示す図である。（ｂ）は、高周波カット用ＬＰＦ側の抽出用ＬＰＦの一例を示す図である。（ｃ）は、ＶＧＡ側の抽出用ＬＰＦの一例を示す図である。
【図２】高周波カット用ＬＰＦまたはＶＧＡの利得−周波数特性のグラフである。
【図３】（ａ）は、各抽出用ＬＰＦのそれぞれのカットオフ周波数を同じタイミングで切り替えた場合の全体のＤＣオフセットを示す図である。（ｂ）は、本実施形態の無線通信機における全体のＤＣオフセットを示す図である。
【図４】本実施形態の無線通信機における高周波カット用ＬＰＦ及びＶＧＡのそれぞれの低域側のカットオフ周波数の切替タイミングを示すタイミングチャートである。
【図５】（ａ）、（ｂ）は、それぞれ、他の実施形態の無線通信機における高周波カット用ＬＰＦ及びＶＧＡのそれぞれの低域側のカットオフ周波数の切替タイミングを示すタイミングチャートである。
【符号の説明】
【００５３】
１  無線通信機
２  アナログ部
３  デジタル部
４  高周波カット用ＬＰＦ
５  ＶＧＡ
６  ＬＰＦ
７  抽出用ＬＰＦ
８  可変利得増幅器
９  抽出用ＬＰＦ
１０  ＡＧＣ
１１  カットオフ周波数切替制御部
１２  レベル検出部
１３  タイミング決定部
１４  ゲイン制御部
１５  多段増幅器
１６  抵抗
１７  可変容量コンデンサ
１８  増幅器
１９  抵抗
２０  可変容量コンデンサ
【図１】
2007184666.tif 000003
【図２】
2007184666.tif 000004
【図３】
2007184666.tif 000005
【図４】
2007184666.tif 000006
【図５】
2007184666.tif 000007